(57)【要約】【課題】本発明は、極細の金属電極を備えた表示パネルを提供することを課題とする。【解決手段】本発明は、基板と、基板の上に設置される複数の第一電極線と、複数の第一電極線の上に設置され、第一電極線と交差して設置される複数の第二電極線と、複数の第一電極線と複数の第二電極線の間に設置される複数の発光層と、を備え、複数の発光層は複数の第一電極線と複数の第二電極線の間に電気的に接続されることを特徴とする表示パネルを提供する。【選択図】図１
2015038540.tif 000002
【特許請求の範囲】
【請求項１】
基板と、
前記基板の上に設置される複数の第一電極線と、
前記複数の第一電極線の上に設置され、前記第一電極線と交差して設置される複数の第二電極線と、
前記複数の第一電極線と前記複数の第二電極線の間に設置される複数の発光層と、
を備え、
前記複数の発光層は前記複数の第一電極線と前記複数の第二電極線の間に電気的に接続されることを特徴とする表示パネル。
【請求項２】
各前記第一電極線の線幅は１０μm以下であることを特徴とする請求項１に記載の表示パネル。
【請求項３】
前記複数の第一電極線を形成する材料は銅、金、銀、クロム、ニッケル、亜鉛、アルミナ、錫、チタニウム、カルシウム、マグネシウム、ナトリウム、およびそれらの合金からなるグループのいずれか１つから選ばれ、
前記複数の第二電極線を形成する材料は透明導電材料であることを特徴とする請求項２に記載の表示パネル。
【請求項４】
各前記第二電極線の線幅は１０μm以下であることを特徴とする請求項１に記載の表示パネル。
【請求項５】
前記複数の第一電極線と前記複数の第二電極線を形成する材料は銅、金、銀、クロム、ニッケル、亜鉛、アルミナ、錫、チタニウム、カルシウム、マグネシウム、ナトリウムおよびそれらの合金からなるグループのいずれか１つから選ばれることを特徴とする請求項４に記載の表示パネル。
【請求項６】
各前記第二電極線は前記複数の発光層の一部を覆い、前記複数の第二電極線によって形成する開口率は９５％〜９９.５％であることを特徴とする請求項４に記載の表示パネル。
【請求項７】
前記基板を形成する材料は、プラスチック、ガラス、シリコン基板、あるいは可撓性材料のいずれか１つから選ばれることを特徴とする請求項１に記載の表示パネル。
【請求項８】
前記複数の発光層を形成する材料は、エレクトロクロミック材料、有機発光材料、或いは無機発光材料のいずれか１つから選ばれることを特徴とする請求項１に記載の表示パネル。
【請求項９】
各前記発光層は赤色光、緑色光、或いは青色光をそれぞれ発することを特徴とする請求項１に記載の表示パネル。
【請求項１０】
各前記発光層は赤色光、緑色光、青色光、或いは黄色光をそれぞれ発することを特徴とする請求項１に記載の表示パネル。
【請求項１１】
各前記発光層は白色光を発することを特徴とする請求項１に記載の表示パネル。
【請求項１２】
前記複数の第二電極線の上に形成された複数のカラーフィルターをさらに含むことを特徴とする請求項１１に記載の表示パネル。
【請求項１３】
各前記発光層は円形、三角形、四角形あるいは六角形からなるグループのいずれか１つから選ばれることを特徴とする請求項１に記載の表示パネル。
【請求項１４】
前記複数の第二電極線の上に形成された保護層をさらに含むことを特徴とする請求項１に記載の表示パネル。
【請求項１５】
前記保護層を形成する材料は窒化珪素化合物を含むことを特徴とする請求項１４に記載の表示パネル。
【請求項１６】
前記基板と前記複数の第二電極線との間に形成される絶縁層をさらに含むことを特徴とする請求項１に記載の表示パネル。
【請求項１７】
前記絶縁層を形成する材料は酸化珪素化合物或いは高分子材料を含むことを特徴とする請求項１６に記載の表示パネル。
【請求項１８】
少なくとも一つの前記発光層は複数の前記第二電極線に覆われることを特徴とする請求項１に記載の表示パネル。
【請求項１９】
前記複数の第一電極線と前記複数の第二電極線との間に電気的に接続される外部駆動回路をさらに含むことを特徴とする請求項１に記載の表示パネル。
【発明の詳細な説明】
【技術分野】
【０００１】
本発明は、表示パネルに関し、特に電極線によって駆動される表示パネルに関する。
【背景技術】
【０００２】
現在普及のディスプレイ技術、例えば液晶ディスプレイ（LCD）、あるいは有機発光ダイオード（OLED）ディスプレイなどのディスプレイに対して電圧又は電場を供給して駆動するほか、それぞれの画素においてその画素に属する薄膜トランジスタスイッチが設置されることによって、画素に所定の階調を生成させる。しかしながら、薄膜トランジスタを設置したディスプレイは効果的に階調を生成するが、基板はこれらの薄膜トランジスタを形成するための所定の領域を提供しなければならない。また、薄膜トランジスタ自体は透明ではないため、光が遮蔽され、こういうタイプのディスプレイの解像度をさらに上げることが困難になる。
【発明の概要】
【発明が解決しようとする課題】
【０００３】
そこで、本発明は、極細の金属電極を備えた表示パネルを提供することを課題とする。
【課題を解決するための手段】
【０００４】
前記課題を解決するために、本発明の一態様である表示パネルは、基板と、基板の上に設置される複数の第一電極線と、第一電極線の上に設置され、第一電極線と交差して設置される複数の第二電極線と、第一電極線と第二電極線との間に設置される複数の発光層と、を備え、発光層が前記第一電極線と前記第二電極線との間に介在して設置され、第一電極線と第二電極線に電気的に接続されている。
【０００５】
また、本発明の好ましい実施例の一つとして、基板を形成する材料はプラスチック、ガラス、シリコン基板、あるいは可撓性材料のいずれか１つから選ばれる。
【０００６】
また、本発明の好ましい実施例の一つとして、第一電極線を形成する材料は銅、金、銀、クロム、ニッケル、亜鉛、アルミナ、錫、チタニウム、カルシウム、マグネシウム、ナトリウム、およびそれらの合金からなるグループのいずれか１つから選ばれ、第二電極線を形成する材料は透明導電材料である。
【０００７】
また、本発明の好ましい実施例の一つとして、第一電極線と第二電極線を形成する材料は銅、金、銀、クロム、ニッケル、亜鉛、アルミナ、錫、チタニウム、カルシウム、マグネシウム、ナトリウムおよびそれらの合金からなるグループのいずれか１つから選ばれ、表示パネルに形成される開口率は９５％〜９９.５％である。
【０００８】
また、本発明の好ましい実施例の一つとして、各第二電極線はその下方の発光層の一部のみを覆う。
【０００９】
また、本発明の好ましい実施例の一つとして、発光層を形成する材料は、エレクトロクロミック(Electrochromic;EC)材料、有機発光材料、或いは無機発光材料のいずれか１つから選ばれる。
【００１０】
また、本発明の好ましい実施例の一つとして、各発光層は赤色光、緑色光、或いは青色光をそれぞれ発する役割を有する。
【００１１】
また、本発明の好ましい実施例の一つとして、各発光層は赤色光、緑色光、青色光、或いは黄色光をそれぞれ発する役割を有する。
【００１２】
また、本発明の好ましい実施例の一つとして、本発明に係る表示パネルは前記第二電極線の上に形成される複数のカラーフィルターを更に備え、発光層は白色光を発する。
【００１３】
また、本発明の好ましい実施例の一つとして、発光層の形は円形、三角形、四角形あるいは六角形からなるグループのいずれか１つから選ばれる。
【００１４】
また、本発明の好ましい実施例の一つとして、本発明に係る表示パネルは第二電極線の上に形成された保護層を更に備え、保護層を形成する材料は窒化珪素化合物を含む。
【００１５】
また、本発明の好ましい実施例の一つとして、本発明に係る表示パネルは基板と第二電極線との間に形成される絶縁層を更に備え、絶縁層を形成する材料は酸化珪素化合物或いは高分子材料を含む。
【００１６】
また、本発明の好ましい実施例の一つとして、少なくとも一つの発光層は複数の第二電極線によって覆われる。
【００１７】
また、本発明の好ましい実施例の一つとして、本発明に係る表示パネルは第一電極線と第二電極線との間に電気的に接続される外部駆動回路を更に備える。
【発明の効果】
【００１８】
上述の配置によって、本発明の表示パネルにおいて、薄膜トランジスタの代わりに例えばチップなどの外部駆動回路を利用して第一電極線と第二電極線の電圧を調整することによって、各発光層の発光をコントロールする効果を奏することができる。
【図面の簡単な説明】
【００１９】
【図１】本発明の好ましい実施例の一つの表示パネルの立体図である。
【図２】本発明の表示パネルの断面図である。
【図３Ａ】本発明の表示パネルの発光層が異なる形状で配列されることを示す図である。
【図３Ｂ】本発明の表示パネルの発光層が異なる形状で配列されることを示す図である。
【図３Ｃ】本発明の表示パネルの発光層が異なる形状で配列されることを示す図である。
【図３Ｄ】本発明の表示パネルの発光層が異なる形状で配列されることを示す図である。
【図４】複数のカラーフィルターを更に備えた本発明の表示パネルの立体図である。
【図５】複数のカラーフィルターを更に備えた本発明の表示パネルの断面図である。
【発明を実施するための形態】
【００２０】
より詳しく本発明の技術、方法、効果を理解するため、下記の本発明の詳しい説明や図を参照してください。本発明の目的、特徴、特点は、下記の内容によってより深く且つ具体的に理解することができる。また、図式と添付ファイルはあくまでも参考と説明のためのものであり、本発明に対する制限ではない。
【実施例】
【００２１】
下記の実施例によって本発明の一種の表示パネルを解釈する。説明に関して、本発明の実施例は発明を下記のような特定環境、あるいは特殊な応用方法を制限するわけではない。実施例に関する説明は、あくまでも本発明の目的を解釈することで、制限することではない。
【００２２】
図１は本発明の好ましい実施例の一つの表示パネルの立体図である。この実施例において、表示パネルは、基板１１、複数の第一電極線１３、複数の第二電極線１２、複数の発光層１４、及び外部駆動回路１５を含む。第一電極線１３は基板１１の上に設置される。第二電極線１２は、第一電極線１３と交差するように第一電極線１３の上に設置される。発光層１４は、第一電極線１３と第二電極線１２に電気的に接続されるように第一電極線１３と第二電極線１２との間に設置される。外部駆動回路１５は外部から第一電極線１３と第二電極線１２に電気的に接続される。通常、外部駆動回路１５は基板１１に設置されるチップであってもよいが、これに限定されるものではない。
【００２３】
実際の稼働において、第一電極線１３と第二電極線１２は、電圧を提供することによって、発光層１４を駆動して発光させる。また、外部駆動回路１５により第一電極線１３と第二電極線１２の電圧を調整することによって、発光層１４から出した光線をコントロールする目的を達成する。
【００２４】
本発明において、第一電極線１３、第二電極線１２及び発光層１４の数量関係と配置方法には特に制限がない。例を挙げて説明すると、一本の第一電極線１３及び一本の第二電極線１２は一つの発光層１４と組み合わせるようにしてもよく、複数本の第一電極線１３及び一本の第二電極線１２は一つの発光層１４と組み合わせるようにしてもよく、一本の第一電極線１３及び複数の第二電極線１２は一つの発光層１４と組み合わせるようにしてもよく、複数の第一電極線１３及び複数の第二電極線１２は一つの発光層１４と組み合わせるようにしてもよい。状況に応じて変わることが可能であるため、特に制限がない。
【００２５】
また、本発明の表示パネルにおいて、第二電極線１２は発光層１４の上層にあると共に、発光層１４の一部のみを覆うことによって、第二電極線１２が発光層１４からの光線を遮蔽するのを防ぎ、これによって光度を上げる。
【００２６】
本発明において、一つの発光層１４は一種類の色の光、例えば赤色光、緑色光又は青色光を発することができる。また、必要によって発光層１４に黄色光を発させることもできる。これによって本発明の表示パネルの色域が上げれる、画面の色もより鮮明になる。
【００２７】
本発明において、基板１１の材料は、プラスチック、ガラス、シリコン基板、あるいは可撓性材料、例えばポリイミド（Ｐｏｌｙｉｍｉｄｅ、ＰＩ）、テレフタル酸ポリエチレン（Ｐｏｌｙｅｔｈｙｌｅｎｅ  Ｔｅｒｅｐｈｔｈａｌａｔｅ、ＰＥＴ）などであってもよい。通常、発光層１４の材料は、表示パネルに用いられる材料、例えばエレクトロクロミック（Ｅｌｅｃｔｒｏｃｈｒｏｍｉｃ、ＥＣ）材料、有機発光材料、又は無機発光材料などであってもよいが、これに限定されるものではない。
【００２８】
本発明の実施例において、第一電極線１３の材料は、一般の金属電極の材料、例えば銅、金、銀、クロム、ニッケル、亜鉛、アルミナ、錫、チタニウム、カルシウム、マグネシウム、ナトリウム及びそれらの合金からなるグループのいずれか１つから選ばれるものであってもよい。第二電極線１２の材料は、透明導電材料、例えばインジウムスズ酸化物（ＩＴＯ）又はインジウム亜鉛酸化物（ＩＺＯ）などであってもよい。本発明の表示パネルの透過率を向上するように、好ましくは、第二電極線１２の線幅は１０μm以下である。
【００２９】
本発明の実施例の一つとして、第一電極線１３と第二電極線１２の材料は、一般の金属電極の材料、例えば銅、金、銀、クロム、ニッケル、亜鉛、アルミナ、錫、チタニウム、カルシウム、マグネシウム、ナトリウム及びそれらの合金からなるグループのいずれか１つから選ばれるものであってもよい。好ましくは、第二電極線１２の線幅は１０μm以下であるが、これに限定されるものではない。
【００３０】
上述の配置によって、本発明の表示パネルの開口率は、９５％〜９９.５％である。
【００３１】
続いて図２を参照する。図２は本発明の表示パネルの断面図である。本発明の好ましい実施例の一つとして、本発明の表示パネルは上述の配置以外、保護層１６と絶縁層１７を更に含む。保護層１６は、第二電極線１２の上に形成されており、水気がしみ込まないように第一電極線１３、第二電極線１２及び発光層１４を保護する。保護層１６を形成する材料は、例えば窒化珪素化合物などであってもよいが、防水性材料であればよく、特に制限しない。絶縁層１７は、第一電極線１３と第二電極線１２のショートを防ぐために、基板１１と第二電極線１２との間に形成される。絶縁層１７を形成する材料は、例えば酸化珪素化合物又は高分子材料であってもよいが、非導電材料であればよく、特に制限しない。
【００３２】
続いて図３A−３Dを参照する。図３A−３Dは本発明の表示パネルの発光層１４が異なる形状で配置される図面である。本発明の表示パネルの発光層１４の形状は必要に応じて変更でき、特に限定されていない。例を挙げると、発光層１４の形状は円形、三角形、四角形あるいは六角形などであってもよく、図３A−３Dのような配列関係で配置されてもよいが、特に制限しない。
【００３３】
本発明の実施例の一つとして、図４に示すように、本発明の表示パネルは多数のカラーフィルター１８を更に含む。カラーフィルター１８は、第二電極線１２の上に形成される。好ましくは、図５に示すように、カラーフィルター１８は発光層１４の真上に形成される。この実施例では、発光層１４は白色光を発して、カラーフィルター１８によって外部に出射される光線の色を決める。
【００３４】
上述したように、本発明に係る表示パネルは、薄膜トランジスタを使用せずに、電極線で駆動すればコントロールできる。更に、発光層上の第二電極線は極細の金属電極導線を使うため、発光を妨げることはないため、光透過率に影響がなく、高導電性を保つことができる。また、本発明の表示パネルは電極線の金属伸展性を運用し、可撓性材料と組み合わせれば、可撓性ディスプレイとして使える。
【００３５】
上述した実施例は、本発明の好ましい実施態様に過ぎず、本発明の実施の範囲を限定するものではなく、本発明の明細書及び図面内容に基づいてなされた均等な変更および付加は、いずれも本発明の特許請求の範囲内に含まれるものとする。
【符号の説明】
【００３６】
１１  基板
１３  第一電極線
１４  発光層
１５  外部駆動回路
１６  保護層
１７  絶縁層
１８  カラーフィルター
【図１】
2015038540.tif 000003
【図２】
2015038540.tif 000004
【図３Ａ】
2015038540.tif 000005
【図３Ｂ】
2015038540.tif 000006
【図３Ｃ】
2015038540.tif 000007
【図３Ｄ】
2015038540.tif 000008
【図４】
2015038540.tif 000009
【図５】
2015038540.tif 000010